(57)【要約】【課題】異形の偏光板の異形部分が破損することを防止することができる偏光板積層体、及び、偏光板の積層方法を提供する。【解決手段】偏光板積層体１Ａは、矩形を基準とした形状を有する異形の偏光板２が複数枚積層された積層体であって、偏光板２は、矩形の一辺から偏光板２の内側へ向けて凹んだ凹部３を有し、接触している偏光板２同士は、一方の偏光板２における凹部３を有する領域と他方の偏光板２における凹部３を有しない領域とが対面するように積層されている。【選択図】図１
2020101679.tif 000002
【特許請求の範囲】
【請求項１】
矩形を基準とした形状を有する異形の偏光板が複数枚積層された積層体であって、
前記偏光板は、前記矩形の一辺から前記偏光板の内側へ向けて凹んだ凹部を有し、
接触している前記偏光板同士は、一方の偏光板における前記凹部を有する領域と他方の偏光板における前記凹部を有しない領域とが対面するように積層されている、偏光板積層体。
【請求項２】
矩形を基準とした形状を有する異形の偏光板が複数枚積層された積層体であって、
前記偏光板は、前記矩形の一辺から前記偏光板の内側へ向けて凹んだ凹部を有し、
前記凹部を有する領域同士が対面するように複数の前記偏光板が積層されて構成された偏光板群を複数備え、
前記複数の偏光板群同士は、一方の偏光板群における前記凹部を有する領域と他方の偏光板群における前記凹部を有しない領域とが対面するように積層されている、偏光板積層体。
【請求項３】
積層された前記偏光板群同士は、前記凹部を有する領域が互いの前記矩形の前記凹部を有する領域の対辺側に位置するように積層されている、請求項２記載の偏光板積層体。
【請求項４】
前記凹部が同一の向きとなっている偏光板の合計枚数が、積層された偏光板の全枚数の３０％〜７０％を占めている、請求項２又は３記載の偏光板積層体。
【請求項５】
前記偏光板は、偏光フィルムと、前記偏光フィルムの両面に積層された保護フィルムと、前記保護フィルムのうちの片方側に積層された粘着剤層と、前記粘着剤層に積層された剥離フィルムとを備えている、請求項１〜４のいずれか一項記載の偏光板積層体。
【請求項６】
矩形を基準とした形状を有する異形の偏光板を複数枚積層する積層方法であって、
前記偏光板は、前記矩形の一辺から前記偏光板の内側へ向けて凹んだ凹部を有し、
接触させる前記偏光板同士を、一方の偏光板における前記凹部を有する領域と他方の偏光板における前記凹部を有しない領域とが対面するように積層する、偏光板の積層方法。
【請求項７】
矩形を基準とした形状を有する異形の偏光板を複数枚積層する積層方法であって、
前記偏光板は、前記矩形の一辺から前記偏光板の内側へ向けて凹んだ凹部を有し、
前記凹部を有する領域同士が対面するように複数の前記偏光板を積層した偏光板群を複数構成し、
前記複数の偏光板群同士を、一方の偏光板群における前記凹部を有する領域と他方の偏光板群における前記凹部を有しない領域とが対面するように積層する、偏光板の積層方法。
【請求項８】
矩形を基準とした形状を有する異形の偏光板を複数枚積層する積層方法であって、
前記偏光板は、前記矩形の一辺から前記偏光板の内側へ向けて凹んだ凹部を有し、
前記凹部を有する領域同士が対面するように複数の前記偏光板を積層して第１の偏光板群を構成し、
前記第１の偏光板群に対して、別の偏光板を、前記第１の偏光板群における前記凹部を有する領域と、前記別の偏光板における凹部を有しない領域とが対面するように積層し、
前記別の偏光板に対して、前記凹部を有する領域同士が互いに対面するように前記偏光板を積層して第２の偏光板群を構成する、偏光板の積層方法。
【請求項９】
前記偏光板は、偏光フィルムと、前記偏光フィルムの両面に積層された保護フィルムと、前記保護フィルムのうちの片方側に積層された粘着剤層と、前記粘着剤層に積層された剥離フィルムとを備えている、請求項６〜８のいずれか一項記載の偏光板の積層方法。
【発明の詳細な説明】
【技術分野】
【０００１】
本発明は、偏光板積層体、及び、偏光板の積層方法に関する。
【背景技術】
【０００２】
液晶テレビ、有機ＥＬテレビ、スマートフォン等の画像表示装置は、光学部品の一つとして偏光板を備えている。偏光板は、画像表示面の形状が多様化してきたことに伴い、単純な多角形でない、凹状の切り欠き部（凹部）を有する異形のものが登場してきている（例えば特許文献１参照）。
【先行技術文献】
【特許文献】
【０００３】
【特許文献１】特開２０１８−９２１４７号公報
【発明の概要】
【発明が解決しようとする課題】
【０００４】
ところで、偏光板の流通過程では、例えば数百枚の偏光板を積層し、これを収納容器に入れた状態で運搬することがあり、特に、異形の偏光板は枚葉のものを積層して積層体の形態で運搬される。このとき、異形の偏光板では凹部を構成する部分に応力が加わりやすいことから、当該部分が破損（割れ、裂け等）することが懸念される。凹部周辺の保護のために凹部に緩衝材を嵌め込む手段が考えられるが、凹部の形状ごとに緩衝材を用意しなければならず、また、緩衝材の着脱の作業を要することにもなる。
【０００５】
そこで本発明は、異形の偏光板の異形部分が破損することを防止することができる偏光板積層体、及び、偏光板の積層方法を提供することを目的とする。
【課題を解決するための手段】
【０００６】
本発明は一つの実施形態において、矩形を基準とした形状を有する異形の偏光板が複数枚積層された積層体であって、偏光板は矩形の一辺から偏光板の内側へ向けて凹んだ凹部を有し、接触している偏光板同士は、一方の偏光板における凹部を有する領域と他方の偏光板における凹部を有しない領域とが対面するように積層されている、偏光板積層体を提供する。
【０００７】
また、本発明は一つの実施形態において、矩形を基準とした形状を有する異形の偏光板を複数枚積層する積層方法であって、偏光板は矩形の一辺から偏光板の内側へ向けて凹んだ凹部を有し、接触させる偏光板同士を、一方の偏光板における凹部を有する領域と他方の偏光板における凹部を有しない領域とが対面するように積層する、偏光板の積層方法を提供する。
【０００８】
この偏光板積層体、及び偏光板の積層方法によれば、偏光板のうち凹部を有する領域が、これに積層される他の偏光板の凹部を有しない領域と対面する格好となるので、外部から凹部に対して加わる応力が当該他の偏光板の存在によって緩和される。すなわち、異形の偏光板では、凹部を構成している異形部分の角部が外部からの応力に対して最も脆弱な部分であるところ、本発明の偏光板積層体及び偏光板の積層方法によれば、積層された他の偏光板によって当該角部が物理的に保護されるので、偏光板の異形部分が破損することを防止することができる。
【０００９】
また、本発明は別の実施形態において、矩形を基準とした形状を有する異形の偏光板が複数枚積層された積層体であって、偏光板は矩形の一辺から偏光板の内側へ向けて凹んだ凹部を有し、凹部を有する領域同士が対面するように複数の偏光板が積層されて構成された偏光板群を複数備え、複数の偏光板群同士は、一方の偏光板群における凹部を有する領域と他方の偏光板群における凹部を有しない領域とが対面するように積層されている、偏光板積層体を提供する。
【００１０】
また、本発明は当該別の実施形態において、矩形を基準とした形状を有する異形の偏光板を複数枚積層する積層方法であって、偏光板は矩形の一辺から偏光板の内側へ向けて凹んだ凹部を有し、凹部を有する領域同士が対面するように複数の偏光板を積層した偏光板群を複数構成し、複数の偏光板群同士を、一方の偏光板群における凹部を有する領域と他方の偏光板群における凹部を有しない領域とが対面するように積層する、偏光板の積層方法を提供する。
【００１１】
また、本発明は当該別の実施形態において、矩形を基準とした形状を有する異形の偏光板を複数枚積層する積層方法であって、偏光板は矩形の一辺から偏光板の内側へ向けて凹んだ凹部を有し、凹部を有する領域同士が対面するように複数の偏光板を積層して第１の偏光板群を構成し、第１の偏光板群に対して、別の偏光板を、第１の偏光板群における凹部を有する領域と、別の偏光板における凹部を有しない領域とが対面するように積層し、別の偏光板に対して、凹部を有する領域同士が互いに対面するように偏光板を積層して第２の偏光板群を構成する、偏光板の積層方法を提供する。
【００１２】
この偏光板積層体、及び偏光板の積層方法によれば、偏光板群のうち凹部を有する領域が、これに積層される他の偏光板群の凹部を有しない領域と対面する格好となるので、外部から凹部に対して加わる応力が当該他の偏光板群の存在によって緩和される。すなわち、異形の偏光板では、凹部を構成している異形部分の角部が外部からの応力に対して最も脆弱な部分であるところ、本発明の偏光板積層体及び偏光板の積層方法によれば、積層された他の偏光板群によって当該角部が物理的に保護されるので、偏光板の異形部分が破損することを防止することができる。
【００１３】
この偏光板積層体においては、積層された偏光板群同士は、凹部を有する領域が互いの矩形の凹部を有する領域の対辺側に位置するように積層されていることが好ましい。このような積層態様であると、偏光板が矩形であることから偏光板群間で四隅の位置が一致し、偏光板積層体全体の安定性が維持される。
【００１４】
また、この偏光板積層体においては、凹部が同一の向きとなっている偏光板の合計枚数が、積層された偏光板の全枚数の３０％〜７０％を占めていることが好ましい。これによれば、偏光板積層体全体として凹部がほぼ均等に保護される。
【００１５】
本発明に用いられる偏光板は、偏光フィルムと、偏光フィルムの両面に積層された保護フィルムと、保護フィルムのうちの片方側に積層された粘着剤層と、粘着剤層に積層された剥離フィルムとを備えたものであってもよい。
【発明の効果】
【００１６】
本発明によれば、異形の偏光板の異形部分が破損することを防止することができる偏光板積層体、及び、偏光板の積層方法を提供することができる。
【図面の簡単な説明】
【００１７】
【図１】第１の実施形態の偏光板積層体の斜視図である。
【図２】図１の偏光板積層体の分解斜視図である。
【図３】第２の実施形態の偏光板積層体の斜視図である。
【図４】図３の偏光板積層体の分解斜視図である。
【図５】他の実施形態の偏光板積層体の斜視図である。
【図６】他の別の実施形態の偏光板積層体の平面図である。
【発明を実施するための形態】
【００１８】
以下、本発明の好適な実施形態について、図面を参照しながら詳細に説明する。なお、各図において同一部分又は相当部分には同一符号を付し、重複する説明は省略する。
【００１９】
＜第１の実施形態＞
図１及び図２に示されているとおり、本発明の第１の実施形態の偏光板積層体１Ａは、複数の偏光板２が、四隅の位置が相互に一致するように積層されて成るものである。ここで偏光板２は、偏光フィルムと、偏光フィルムの片面又は両面に積層された保護フィルムとを備えたものである。偏光板の片方の面には更に、粘着剤層及び剥離フィルムを備えていてもよい。粘着剤層及び剥離フィルムを備えている場合は、これらの層が同一の向きとなるように（例えば図示下側の向きとなるように）表裏が揃えられていることが好ましい。
【００２０】
また、偏光板の他方の面には更に、粘着剤層及び表面保護フィルムを備えていてもよい。偏光板がその両面に粘着剤層を備えている場合、一方の粘着剤層は偏光板を表示パネル等に貼り合わせるためのものであり、他方の粘着剤層は一緒に貼り合わされている表面保護フィルムと合わせて、運搬過程などで偏光板表面に傷等が入ることを保護する目的のものである。上記のとおり、偏光板は偏光フィルムの片面又は両面に保護フィルムが積層されたものと説明したが、この保護フィルムは例えば、代わりに位相差フィルムであってもよく、保護フィルムに加えて位相差フィルムを有するものであってもよい。なお、偏光フィルム、保護フィルム及び位相差フィルムは、本技術分野で公知のものであればよい。
【００２１】
偏光板２は、矩形を基準とした形状を有する異形の偏光板であり、矩形の一辺から偏光板２の内側へ向けて凹んだ凹部３を有している。ここで「矩形を基準とした」とは、凹部３が存在しないと仮定した場合に、偏光板の形状が矩形を成しているということを意味する。また、本明細書において、「矩形」とは長方形を指し、正方形を含む概念である。また「矩形」には、その四隅に対して角丸加工等の変形加工を加えたものも含むものとする。
【００２２】
偏光板２の大きさは、貼り合わせて用いる表示パネルの大きさに応じて選ばれるが例えば、特開２０１８−１５９９１１号公報記載のものであってよい。具体的には、偏光板２に含まれる偏光フィルムが矩形である場合の大きさとして、短辺の幅は、２０ｍｍより大きく１６０ｍｍ以下であることが好ましく、２５ｍｍより大きく１３０ｍｍ以下であることがより好ましく、３０ｍｍより大きく１００ｍｍ以下であることが更に好ましく、３０ｍｍより大きく８０ｍｍ以下であることが特に好ましい。長辺（偏光板２の幅方向に垂直な方向の辺）の長さは、例えば、３０ｍｍ以上６００ｍｍ以下であってよい。そして、凹部３の幅は、当該凹部３が形成されている辺の長さ（凹部３がないと仮定したときの辺の長さ）の１．０倍未満であって、且つ、０．０３倍以上、０．１０倍以上、０．１３倍以上、０．１５倍以上、０．２０倍以上、又は、０．２２倍以上であることが好ましい。さらに好ましくは０．３０倍以上であってよい。凹部３の長さは、図１及び図３のように、当該凹部３が半円状の場合、その半径といえるが例えば、３ｍｍ以上１５ｍｍ以下であってよい。ここでは、凹部３が半円状である場合で示したが、凹部３の幅や長さによって、平面視で半楕円状であることもあり、後述するように、コ字形（平面視で四角形の切欠き）であってもよく、Ｖ字形（平面視で三角形の切欠き）等の他の形状であってもよい。
【００２３】
積層する複数枚の偏光板２のそれぞれは、全て同一形状を成しており、基準とした矩形のうちの一辺に凹部３を有している。図１及び図２では、凹部３はその形状が略半円を描く弧である様子を示している。凹部３の幅、すなわち基準とした矩形の一辺に向かって開口した部分の幅は、５ｍｍ以上３０ｍｍ以下であってよい。凹部３の深さ、すなわち基準とした矩形の一辺から凹部３の最深部まで垂直に下した線の長さは、１ｍｍ以上３０ｍｍ以下であってよい。
【００２４】
偏光板２の厚さは特に限定されず、切断加工で枚葉の偏光板に加工できる範囲で選択できるが、例えば、１０〜１５０μｍ程度である。
【００２５】
偏光板積層体１Ａにおいて、接触している偏光板２同士は、一方の偏光板２における凹部３を有する領域Ａ１（図２参照）と、他方の偏光板２における凹部３を有しない領域Ａ２とが対面するように積層されている。すなわち、互いに接触する二枚の偏光板２に着目したとき、積層された偏光板２同士は偏光板２の主面に垂直な軸に関して１８０°回転させた向きとされ、凹部３を有する領域Ａ１が互いの矩形の凹部３を有する領域Ａ１の対辺側に位置するように積層されている。全ての偏光板２がこのように、一枚ごとに凹部３の向きを違えて積層されている。なお、ここで「領域」とは、矩形のうちの部位を特定するために用いられる用語であって、矩形の任意の辺に沿い、当該辺から偏光板の内側へ亘る、所定の面積を有する縁部を指している。
【００２６】
偏光板積層体１Ａ全体の偏光板２の積層枚数は、１００枚〜１０００枚であることが好ましい。偏光板積層体１Ａは、図示上下方向からクッション材で挟むようにして収納容器に入れられて、運搬される。
【００２７】
この積層方法によって積層された偏光板積層体１Ａは、偏光板２のうち凹部３を有する領域Ａ１が、これに積層される他の偏光板２の凹部３を有しない領域Ａ２と対面する格好となるので、外部から凹部に対して加わる応力が当該他の偏光板２の存在によって緩和される。すなわち、偏光板２のように異形の形状とされた偏光板では、凹部３を構成している異形部分の角部が外部からの応力に対して最も脆弱な部分であるところ、本実施形態の偏光板積層体１Ａによれば、積層された他の偏光板２によって当該角部が物理的に保護されるので、偏光板２の異形部分が破損することを防止することができる。
【００２８】
また、この偏光板積層体１Ａにおいては、積層された偏光板２同士は、凹部３を有する領域Ａ１が互いの矩形の凹部３を有する領域Ａ１の対辺側に位置するように積層されていることから、積層した全ての偏光板２間で四隅の位置が一致し、偏光板積層体１Ａ全体の安定性が維持されている。
【００２９】
＜第２の実施形態＞
図３及び図４に示されているとおり、本発明の第２の実施形態の偏光板積層体１Ｂは、複数の偏光板２が積層されて成るものである。積層する偏光板２は、第１の実施形態に係る偏光板２と同様である。第２の実施形態の偏光板積層体１Ｂが第１の実施形態の偏光板積層体１Ａと異なる点は、偏光板２が一枚ずつ向きを違えて積層されているのではなく、複数の偏光板２から構成された偏光板群４Ａ，４Ｂが互いに向きを違えて積層されている点である。
【００３０】
偏光板積層体１Ｂは、二つの偏光板群４Ａ，４Ｂを含んでいる。各偏光板群４Ａ，４Ｂは、凹部３を有する領域Ａ１同士が対面するように（図４では複数枚の偏光板２を纏めて「Ａ１」の符号を付している。後述する凹部３を有しない領域「Ａ２」についても同様である。）、すなわち、凹部３が同一の向きとなるように複数の偏光板２が積層されて構成されたものである。一つの偏光板群を構成する偏光板２の枚数は、５０枚〜２００枚であることが好ましい。
【００３１】
複数の偏光板群４Ａ，４Ｂ同士は、一方の偏光板群（第１の偏光板群）４Ａにおける凹部３を有する領域Ａ１と他方の偏光板群（第２の偏光板群）４Ｂにおける凹部３を有しない領域Ａ２とが対面するように積層されている。すなわち、積層された偏光板群同士は、偏光板群の主面に垂直な軸に関して１８０°回転させた向きとされ、凹部３を有する領域Ａ１が互いの偏光板群の矩形の凹部３を有する領域Ａ１の対辺側に位置するように積層されている。これにより、偏光板積層体１Ｂ全体の外観形状としては、直方体を構成しながらも、その厚さ部分を構成する四つの面のうち、一組の対面において凹部３が観察される。当該対面の一方の面では、凹部３が積層厚さのうち半分の厚さを占めるように連なって凹部群を形成しており、他方の面では、凹部３が積層厚さのうち残り半分の厚さを占めるように連なって凹部群を形成している。
【００３２】
偏光板群４Ａ，４Ｂのそれぞれにおいて、偏光板２の積層枚数は、５０枚〜５００枚であることが好ましい。また、偏光板積層体１Ｂにおいて、凹部３が同一の向きとなっている偏光板２の合計枚数は、積層された偏光板２の全枚数の３０％〜７０％を占めていることが好ましく、４０％〜６０％を占めていることがより好ましく、４５％〜５５％を占めていることが更に好ましい。これらの範囲内であると、偏光板積層体１Ｂ全体として凹部３が均等に保護されやすい。
【００３３】
偏光板積層体１Ｂを構成するための積層方法は、例えば二通りの方法が挙げられる。一つ目の方法は、複数枚の偏光板２を、凹部３を同一の向きにして積層して偏光板群４Ａ，４Ｂをそれぞれ独立して構成し、最後に両偏光板群４Ａ，４Ｂを互いに積層する方法である。二つ目の方法は、始めに一つの偏光板群４Ａを構成した後、その上に、別の偏光板２を順次積層していき次の偏光板群４Ｂを構成する方法である。このとき、当該別の偏光板２を偏光板群４Ａの上に積層する際は、偏光板群４Ａにおける凹部３を有する領域Ａ１と、当該別の偏光板２における凹部３を有しない領域Ａ２とが対面するように積層し、その後の偏光板２の積層は、当該別の偏光板２に対して、凹部３を有する領域Ａ１同士が対面するように更なる偏光板２を積層するようにする。
【００３４】
以上、本発明の好適な実施形態について説明したが、本発明は上記実施形態に何ら限定されるものではない。例えば、第２の実施形態では、二つの偏光板群が積層されたとみなすことができる偏光板積層体１Ｂを示したが、偏光板積層体に含まれる偏光板群は、三つ以上であってもよい。例えば、図５に示されているとおり、本発明の偏光板積層体は、四つの偏光板群４Ａ，４Ｂ，４Ｃ，４Ｄを含む偏光板積層体１Ｃであってもよい。
【００３５】
図５に示されている偏光板積層体１Ｃにおいても、凹部３が同一の向きとなっている偏光板２の合計枚数が、積層された偏光板２の全枚数の３０％〜７０％を占めていることが好ましく、４０％〜６０％を占めていることがより好ましい。凹部３が一方の向きのものと、他方の向きのものとが略同数となっていることが特に好ましい。このようにすれば、偏光板積層体１Ｃ全体として凹部３がほぼ均等に保護される。
【００３６】
また、上記二つの実施形態では、凹部が向く方向を１８０°違えるようにして偏光板２を積層する態様を示したが、凹部が向く方向を９０°違えるようにしてもよい。特に、偏光板の形状が正方形を基準とした形状である場合は、図６に示されているとおり、平面視で凹部３が四方のいずれかの向きを向くようにして偏光板積層体１Ｄを構成することができる。この場合でも、正方形の四隅の位置が全ての偏光板で一致するため、安定性が高い。この態様では、偏光板積層体１Ｄの平面視で、凹部３の向きが四方向存在するので、凹部３が同一の向きとなっている偏光板の枚数は、全枚数の１５〜３５％を占めていることが好ましく、２０〜３０％を占めていることがより好ましい。
【００３７】
また、上記実施形態では凹部の形状が略半円を描く弧である態様（半円の切欠き）を示したが、凹部の形状はコ字形（四角形の切欠き）であってもよく、Ｖ字形（三角形の切欠き）等、他の形状であってもよい。
【産業上の利用可能性】
【００３８】
本発明は異形の偏光板の運搬に利用することができる。
【符号の説明】
【００３９】
１Ａ，１Ｂ，１Ｃ，１Ｄ…偏光板積層体、２…偏光板、３…凹部、４Ａ，４Ｂ，４Ｃ，４Ｄ…偏光板群、Ａ１…凹部３を有する領域、Ａ２…凹部３を有しない領域。
【図１】
2020101679.tif 000003
【図２】
2020101679.tif 000004
【図３】
2020101679.tif 000005
【図４】
2020101679.tif 000006
【図５】
2020101679.tif 000007
【図６】
2020101679.tif 000008